(57)【特許請求の範囲】
【請求項１】
締結手段（１）であって、
平坦なタブ形状の基体（２）と、複数のコンポーネント（１８、１９、２３、２４）を前記締結手段（１）に配列しかつ接続する複数のスナップフック（８、１４）、スナップタブ（１６、１７）、及び保持抜き部（６、１２、１１、２１）とを含み、
前記基体（２）の下端では一の抜き部（６）が、２つのブラケット（７）が形成されるように前記基体（２）内に配列され、
各ブラケット（７）に一のスナップフック（８）が配列される結果、前記基体（２）の下端の両側に対応するスナップフック（８）が配列され、
各ブラケット（７）では、前記基体（２）の正面側（５）とは反対の背面側に一のスナップタブ（１７）が形成され、
前記基体（２）の中央セクションでは前記正面側（５）からフック形状成形部（９）が突出し、
前記フック形状成形部（９）は、前記基体（２）から突出する結合セクション（１０）と、画定された又は画定可能な距離で前記基体（２）に基本的に平行に配列される保持セクション（１１）とを含み、
前記保持セクション（１１）と前記ブラケット（７）との間にある一の保持セクション（２１）に前記複数のコンポーネント（１８、１９、２３、２４）の少なくとも２つが保持される締結手段（１）。
【請求項２】
前記保持セクション（１１）の下端では、前記保持セクション（１１）の中に一の抜き部（１２）が配列されて２つのブラケット（１３）が形成され、
各ブラケット（１３）では、前記保持セクション（１１）の下端の両側に一の対応するさらなるスナップフック（１４）が配列されるように一のさらなるスナップフック（１４）が形成される、請求項１に記載の締結手段（１）。
【請求項３】
前記抜き部（１２）の上方では、前記保持セクション（１１）の正面側（１５）に２つの保持タブ（１６）が形成される、請求項２に記載の締結手段（１）。
【請求項４】
前記基体（２）の上端では、一の成形部（３）が一の角度で突出して前記締結手段（１）の正面側（５）から離れる方を向く、請求項１から３のいずれか一項に記載の締結手段（１）。
【請求項５】
前記成形部（３）は、前記締結手段（１）に結合される前記コンポーネント（１８、１９、２３、２４）の少なくとも一つを支持する支持要素として配列される、請求項４に記載の締結手段（１）。
【請求項６】
前記締結手段（１）は、プラスチック、プラスチック複合材、及び／又は金属を含み又はこれらから作られる、請求項１から５のいずれか一項に記載の締結手段（１）。
【請求項７】
締結配列体（４）であって、
・第１コンポーネント（１８）及び第２コンポーネント（１９）であって、前記第２コンポーネント（１９）が、前記第１コンポーネント（１８）に配列される一のフック形状成形部（２０）の中に少なくとも部分的に挿入される第１コンポーネント（１８）及び第２コンポーネント（１９）と、
・請求項７から１０のいずれか一項に記載の締結手段（１）であって、前記第１コンポーネント（１８）及び前記第２コンポーネント（１９）が前記締結手段（１）の保持セクション（２１）の中に配列されるように、前記フック形状成形部（２０）の領域に前記締結手段（１）が嵌め込まれ、前記第２コンポーネント（１９）の複数のスナップタブ（２２）が前記締結手段（１）の前記スナップフック（１４）との形状嵌め及び／又は非形状嵌めスナップロックを形成する締結手段（１）と、
・第３コンポーネント（２３）であって、前記第２コンポーネント（１９）及び前記締結手段（１）間の前記スナップロックから離れる方を向く前記締結手段（１）の背面側において、前記スナップフック（８）とスナップタブ（１６）との間に配列される第３コンポーネント（２３）と、
・前記締結手段（１）並びに取り付けられた前記第１、第２、及び第３コンポーネント（１８、１９、２３）に挿入される第４コンポーネント（２４）であって、前記締結手段（１）の前記スナップタブ（１７）が、前記第４コンポーネント（２４）の複数の対応するスナップ手段（２５）との形状嵌め及び／又は非形状嵌めスナップロックを形成する第４コンポーネント（２４）と
を含む締結配列体（４）。
【請求項８】
前記スナップフック（８）と前記スナップタブ（１６）との距離が前記第３コンポーネント（２３）の高さと基本的に等しいことにより、前記第３コンポーネント（２３）が前記スナップフック（８）と前記スナップタブ（１６）との間に形状嵌め及び／又は非形状嵌めでロックされる、請求項７に記載の締結配列体（４）。
【請求項９】
前記第１コンポーネント（１８）は多機能ディスプレイユニットの裏カバー又はフレーム要素として配列され、
前記第２コンポーネント（１９）は光ハウジングとして又は反射体として配列され、
前記第３コンポーネント（２３）は電子プリント回路基板として配列され、
前記第４コンポーネント（２４）は表カバー又は表マスクとして配列される、請求項７又は８に記載の締結配列体（４）。
【請求項１０】
締結配列体（４）を確立する方法であって、
・第１コンポーネント（１８）を第２コンポーネント（１９）に対し、前記第１コンポーネント（１８）上に配列されたフック形状成形部（２０）の中に前記第２コンポーネント（１９）を少なくとも部分的に挿入することによって配列することと、
・締結手段（１）を前記フック形状成形部（２０）の領域に嵌め込むことであって、前記第１コンポーネント（１８）及び前記第２コンポーネント（１９）が前記締結手段（１）の保持セクション（２１）の中に配列され、前記第２コンポーネント（１９）の複数のスナップタブ（２２）が前記締結手段（１）の複数のスナップフック（１４）との形状嵌め及び／又は非形状嵌めスナップロックを形成することと、
・前記第２コンポーネント（１９）及び前記締結手段（１）間の前記スナップロックから離れる方を向く前記締結手段（１）の背面側に配列された複数のスナップフック（８）と複数のスナップタブ（１６）との間に第３コンポーネント（２３）を配列することと、
・前記締結手段（１）並びに取り付けられた前記第１、第２、及び第３コンポーネント（１８、１９、２３）に第４コンポーネント（２４）を挿入することであって、前記締結手段（１）の複数のスナップタブ（１７）が、前記第４コンポーネント（２４）の複数の対応するスナップ手段（２５）との形状嵌め及び／又は非形状嵌めスナップロックを形成することと
を含む方法。
【発明の詳細な説明】
【技術分野】
【０００１】
本発明は、締結手段、締結手段を含む締結配列体、及び締結手段を含む締結配列体を確立する方法に関する。
【背景技術】
【０００２】
従来技術の複数のコンポーネントは、別個の締結手段によって相互に結合される。その結果、これらが組み立てられてコンポーネント組付体が形成される。
【先行技術文献】
【特許文献】
【０００３】
【特許文献１】独国特許第１０２００６０３７０６０（Ｂ３）号明細書
【特許文献２】米国特許第５，００４，４３０号明細書
【特許文献３】欧州特許出願公開第０７９７２７３（Ａ２）号明細書
【発明の概要】
【０００４】
本発明の課題は、改良された締結手段、締結手段を含む改良された締結配列体、及び締結手段を含む締結配列体を確立する改良された方法を与えることにある。
【０００５】
本課題は、請求項１に係る締結手段、請求項１１に係る締結配列体、及び請求項１４に係る締結配列体を確立する方法によって解決される。
【０００６】
本発明によれば、締結手段は、複数コンポーネントを相互に及び／又は当該締結手段に機械的に結合するべく配列される。これを目的として、締結手段は複数のスナップフック、スナップタブ、及びスナップ手段を含む。さらに、締結手段は、複数コンポーネントを当該締結手段に配列する様々な形状の保持抜き部の形態をとる。
【０００７】
締結配列体を確立するべく、第１コンポーネントが第２コンポーネントに配列される。これを目的として、第１コンポーネントはフック形状の抜き部を含む。これに第２コンポーネントが挿入される。その結果、第１コンポーネントは、複数セクションにおいて第２コンポーネントを包囲する。引き続き締結手段が、第１コンポーネントによる第２コンポーネントの当該包囲領域に嵌め込まれる。その結果、第１及び第２コンポーネントが、締結手段の保持セクションの中に配列される。第２コンポーネントでは、締結手段の複数のスナップフックとの形状嵌め及び／又は非形状嵌めロックを形成する複数のスナップタブが配列される。
【０００８】
第３コンポーネントが、第２コンポーネントと締結手段とのスナップロックから離れる方を向く当該締結手段の側面において、複数の対応するスナップフックと複数のスナップタブとの間に配列される。
【０００９】
第４コンポーネントが、締結手段及び取り付けられたコンポーネントに挿入される。その結果、締結手段のスナップタブは、第４コンポーネントの対応するスナップ手段とのスナップロックを形成する。
【００１０】
これにより、複数のコンポーネントが耐振動かつ入れ替え可能に相互接続することが可能となる。
【００１１】
さらに、コンポーネント間の別個の相互結合が回避されるので、組み付けが単純化されかつ組み付け時間が低減される。
【００１２】
好ましくは、複数のコンポーネントを結合するために複数の締結手段を適用することが回避される。本発明に係る一つの締結手段によって、複数のコンポーネント、特に４つのコンポーネントが直接的又は間接的に相互結合されるからである。
【００１３】
すなわち、複数のねじ又は接着剤接続によって複数のコンポーネントを結合することが回避される。
【００１４】
締結手段により可能となるのは、複数のコンポーネント、例えば４つのコンポーネントを、最後のコンポーネント、例えば第４コンポーネントを加えることによって公差が排除される態様で一緒に固定することである。公差を排除することにより、コンポーネント間の望ましくない相対動ひいては騒音及び振動が防止される。すなわち、締結配列体の全体的品質が向上する。得られる締結配列体は、公差が排除されることにより、加速及び減速が引き起こす低及び高Ｇ荷重力下でも、公差に起因する共振に達することなく機能することができる。
【００１５】
一実施例において、締結手段は、平坦なタブ形状の基体を含む。
【００１６】
一実施例において、基体の下端では一の抜き部が、２つのブラケットが形成されるように当該基体内に配列され、各ブラケットでは、一の対応するスナップフックが当該基体の下端の両側に配列されるように一のスナップフックが配列される。
【００１７】
一実施例において、正面側とは反対の基体背面側にある各ブラケットには一のスナップタブが形成される。
【００１８】
一実施例において、基体の中央セクションでは正面側からフック形状成形部が突出し、当該フック形状ブラケットは、当該基体から突出する一の結合セクションと、画定された又は画定可能な距離で当該基体に基本的に平行に配列される一の保持セクションとを含む。当該保持セクションと当該ブラケットとの間には一の保持セクションが形成される。
【００１９】
一実施例において、保持セクションの下端では、当該保持セクションの中に一の抜き部が配列されて２つのブラケットが形成され、各ブラケットでは、当該保持セクションの下端の両側に一の対応するさらなるスナップフックが配列されるように一のさらなるスナップフックが形成される。
【００２０】
一実施例において、抜き部の上方では、保持セクションの正面側に２つの保持タブが形成される。
【００２１】
一実施例において、基体の上端では、一の成形部が一の角度で突出して締結手段の正面側から離れる方を向く。
【００２２】
一実施例において、成形部が、締結手段に結合されるコンポーネントの少なくとも一つを支持する支持要素として配列されて締結配列体が形成される。
【００２３】
締結手段は、プラスチック、プラスチック複合材、及び／若しくは金属を含み又はこれらから作られる。
【００２４】
本発明のもう一つの側面によれば、締結配列体は、
・第１コンポーネント及び第２コンポーネントであって、第２コンポーネントが、第１コンポーネントに配列される一のフック形状成形部の中に少なくとも部分的に挿入される第１コンポーネント及び第２コンポーネントと、
・フック形状成形部の領域に嵌め込まれる締結手段であって、第１コンポーネント及び第２コンポーネントが締結手段の保持セクションの中に配列され、第２コンポーネントの複数スナップタブが、当該締結手段の複数スナップフックとの形状嵌め及び／又は非形状嵌めスナップロックを形成する締結手段と、
・第３コンポーネントであって、第２コンポーネントと締結手段とのスナップロックから離れる方を向く当該締結手段の背面側において、当該スナップフックと当該スナップタブとの間に配列される第３コンポーネントと、
・締結手段並びに取り付けられた第１、第２、及び第３コンポーネントに挿入される第４コンポーネントであって、締結手段のスナップタブが、第４コンポーネントの複数の対応するスナップ手段との形状嵌め及び／又は非形状嵌めスナップロックを形成する第４コンポーネントとを含む。
【００２５】
一実施例において、スナップフックとスナップタブとの距離が第３コンポーネントの高さと基本的に等しいことにより、第３コンポーネントがスナップフックとスナップタブとの間に形状嵌め及び／又は非形状嵌めでロックされる。
【００２６】
好ましくは、第１コンポーネントは、多機能ディスプレイユニットの裏カバー又はフレーム要素として配列される。第２コンポーネントは、光ハウジングとして又は反射体として配列される。第３コンポーネントは、電子プリント回路基板として配列される。第４コンポーネントは、表カバー又は表マスクとして配列される。
【００２７】
本発明のなおもさらなる側面によれば、締結配列体を確立する方法は、
・第１コンポーネントを第２コンポーネントに対し、第１コンポーネント上に配列されたフック形状成形部の中に第２コンポーネントを少なくとも部分的に挿入することによって配列することと、
・締結手段をフック形状成形部の領域に嵌め込むことであって、第１コンポーネント及び第２コンポーネントが締結手段の保持セクションの中に配列され、第２コンポーネントの複数のスナップタブが締結手段の複数のスナップフックとの形状嵌め及び／又は非形状嵌めスナップロックを形成することと、
・第２コンポーネントと締結手段とのスナップロックから離れる方を向く当該締結手段の背面側に配列された複数のスナップフックと複数のスナップタブとの間に第３コンポーネントを配列することと、
・締結手段並びに取り付けられた第１、第２、及び第３コンポーネントに第４コンポーネントを挿入することであって、締結手段の複数のスナップタブが、第４コンポーネントの複数の対応するスナップ手段との形状嵌め及び／又は非形状嵌めスナップロックを形成することとを含む。
【００２８】
本発明が、以下に与えられる詳細な説明、及び例示としてのみ与えられるがゆえに本発明を限定することがない添付図面によって十分に理解される。
【図面の簡単な説明】
【００２９】
【図１】本発明に係る締結手段の斜視図を示す。
【図２】締結手段を含む本発明に係る締結配列体の斜視図を示す。
【図３】締結手段上の第３コンポーネントの配列の詳細図を示す。
【図４】第２コンポーネントと締結手段とのスナップ接続の詳細図を示す。
【図５】締結配列体の断面図を示す。
【図６】締結配列体の斜視詳細図を示す。
【発明を実施するための形態】
【００３０】
すべての図面において、対応する部分には同じ参照番号が示されている。
【００３１】
図１は、本発明に係る締結手段１の斜視図を示す。
【００３２】
締結手段１はプラスチック又はプラスチック複合材から作られるのが好ましい。同様に、締結手段は金属を含むか又は金属から作ることもできる。
【００３３】
図２は、締結手段１を含む本発明に係る締結配列体４の斜視図を示す。
【００３４】
締結手段１は、平坦なタブ形状の基体２を含む。基体２の上端では、成形部３が基体２から所定角度で、好ましくは直角に突出する。成形部３は、締結手段１の正面側５から離れる方を向いて突出する。
【００３５】
成形部は例えば、締結配列体４を確立するときの把持要素として機能することができる。
【００３６】
成形部３はまた、締結配列体４に結合される複数コンポーネントの少なくとも一つを支持する支持要素として配列することもできる。
【００３７】
基体２の下端では、基体２の中の抜き部６が、２つのブラケット７が形成されるように配列される。スナップフック８が各ブラケット７に配列される。その結果、基体２の下端両側に対応するスナップフック８が配列される。
【００３８】
スナップタブ１７が、各ブラケット７の基体２背面側に形成される。
【００３９】
基体２は、中央セクションにフック形状成形部９を含む。フック形状成形部９は、基体２の正面側５に配列されるので、フック形状成形部９とブラケット７との間に保持セクション２１が形成される。
【００４０】
フック形状ブラケット９は、基体２から直角に突出する結合セクション１０と、画定された又は画定可能な距離で基体２に平行に配列される保持セクション１１とを含む。
【００４１】
保持セクション１１の下端では、抜き部１２が保持セクション１１に配列されて２つのブラケット１３が形成される。各ブラケット１３では、さらなるスナップフック１４が形成される。その結果、保持セクション１１の下端の両側に、対応するさらなるスナップフック１４が配列される。
【００４２】
好ましくは、抜き部１２の上方では、保持セクション１１の正面側１５に２つの保持タブ１６が形成される。
【００４３】
図２は、締結手段１を含む本発明に係る締結配列体４の斜視図を示す。
【００４４】
締結配列体４を確立するべく、第１コンポーネント１８が第２コンポーネント１９に配列される。これを目的として、第１コンポーネント１８はフック形状成形部２０を含む。フック形状成形部２０には、第２コンポーネント１９が挿入される。
【００４５】
すなわち、第１コンポーネント１８は、部分的に又は複数セクションにおいて第２コンポーネント１９を包囲する。引き続き、締結手段１が、この第１コンポーネント１８による第２コンポーネント１９の包囲領域に嵌め込まれる。その結果、第１コンポーネント１８及び第２コンポーネント１９が、締結手段１の保持セクション２１に配列される。
【００４６】
図４に示されるように、第２コンポーネント１９上には、締結手段１のスナップフック１４に対応するスナップタブ２２が形成される。その結果、スナップタブ２２はそれぞれ、スナップフック１４との形状嵌め及び／又は非形状嵌めロック、特にスナップロックを形成する。
【００４７】
すなわち、第１コンポーネント１８及び第２コンポーネント１９が締結手段１によって互いに取り付けられ、この結合が、スナップタブ２２とスナップフック１４とのスナップロックによってロックされる。
【００４８】
図４は、第２コンポーネント１９と締結手段１とのスナップ接続の詳細図を示す。
【００４９】
第３コンポーネント２３が、第２コンポーネント１９及び締結手段１間のスナップロックから離れる方を向く締結手段１の背面側において、対応するスナップフック８とスナップタブ１６との間に配列される。スナップフック８とスナップタブ１６との距離は、第３コンポーネント２３の高さに等しいのが好ましい。その結果、第３コンポーネント２３が、スナップフック８とスナップタブ１６との間に形状嵌め及び／又は非形状嵌めでロックされる。
【００５０】
図３は、締結手段１上の第３コンポーネント２３の配列の詳細図を示す。
【００５１】
第４コンポーネント２４が締結手段１及び取り付けられたコンポーネント１８、１９、２３に挿入される。その結果、締結手段１のスナップタブ１７が、第４コンポーネント２４の対応するスナップ手段２５との形状嵌め及び／又は非形状嵌めスナップロックを形成する。
【００５２】
好ましくは第１コンポーネント１８は、多機能ディスプレイユニットの裏カバー又はフレーム要素として配列される。第２コンポーネント１９は、光ハウジングとして又は反射体として配列される。第３コンポーネント２３は、電子プリント回路基板として配列される。第４コンポーネント２４は、表カバー又は表マスクとして配列される。
【００５３】
図５は、締結配列体４の断面図を示す。
【００５４】
図６は、締結配列体４の詳細斜視図を示す。
【００５５】
当然のことながら、スナップフックとスナップタブとのロックを含むすべての相互係合において、当該スナップフック及びスナップタブの位置は、互いに取り付けられる２つの関連コンポーネント間で入れ替えることができる。
【００５６】
またも当然のことながら、一方のコンポーネントが、他方のコンポーネントによって部分的に包囲されるべく他方のフック形状抜き部に挿入されるすべての場合において、当該フック形状抜き部も、当該一方のコンポーネントが当該他方のコンポーネントを部分的に包囲するべく入れ替えることができる。
【符号の説明】
【００５７】
１  締結手段
２  基体
３  成形部
４  締結配列体
５  正面側
６  抜き部
７  ブラケット
８  スナップフック
９  フック形状成形部
１０  結合セクション
１１  保持セクション
１２  抜き部
１３  ブラケット
１４  さらなるスナップフック
１５  正面側
１６  保持タブ
１７  スナップタブ
１８  第１コンポーネント
１９  第２コンポーネント
２０  フック形状成形部
２１  保持セクション
２２  スナップタブ
２３  第３コンポーネント
２４  第４コンポーネント
２５  スナップ手段
【図１】
0005651733.tif 000002
【図２】
0005651733.tif 000003
【図３】
0005651733.tif 000004
【図４】
0005651733.tif 000005
【図５】
0005651733.tif 000006
【図６】
0005651733.tif 000007